(57)【要約】【課題】装飾性に優れ、インテリアとしての機能を十分に発揮することができる装飾ランプを提供することである。【解決手段】台板１０と、台板１０上に設けられた電球１２と、台板１０上の電球１２の背面側に立脚して設けられた背面板１４と、背面板１４を覆うとともに円筒状に形成されたカバー部材１６と、を備えた装飾ランプであって、背面板１４は、カバー部材１６の内周面に沿って有端筒状に形成されるとともに、内面２３が遊色反射可能に形成され、カバー部材１６は、透光性素材で構成されるとともに、背面板１４に対して回転可能に設けられ、かつ背面板１４に対向するとともに背面板１４の周方向両端の間の領域に光の一部を減光する減光模様２６が施されていることを特徴とする。【選択図】図１
2005205855.tif 000002
【特許請求の範囲】
【請求項１】
台板と、該台板上に設けられた電球と、前記台板上の前記電球の背面側に立脚して設けられた背面板と、該背面板を覆うとともに円筒状に形成されたカバー部材と、を備えた装飾ランプであって、
前記背面板は、前記カバー部材の内周面に沿って有端筒状に形成されるとともに、内面が遊色反射可能に形成され、
前記カバー部材は、透光性素材で構成されるとともに、前記背面板に対して回転可能に設けられ、かつ背面板に対向するとともに背面板の周方向両端の間の領域に光の一部を減光する減光模様が施されていることを特徴とする装飾ランプ。
【請求項２】
前記背面板は、半円筒状に形成されていることを特徴とする請求項１記載の装飾ランプ。
【請求項３】
前記背面板の内面にはホログラムシートが貼り付けられていることを特徴とする請求項１又は２記載の装飾ランプ。
【発明の詳細な説明】
【技術分野】
【０００１】
本発明は、インテリアとして十分に機能する装飾用の電気スタンドに関する。
【背景技術】
【０００２】
従来から通常使用されているランプは、図５に示すように平坦状に形成された基台３０とこの基台３０の中央から垂直方向に突設された支持柱３２とから構成されたランプ本体３４と、ランプ本体３４の支持柱３２の上端に設けられた電球３６と、この電球３６を覆うように設けられ、支持柱３２によって支持された傘部３８と、を備えている。この技術は、一般的な公知技術であるので、記載すべき先行技術文献情報がない。
【発明の開示】
【発明が解決しようとする課題】
【０００３】
しかしながら、このように従来のランプは、装飾性に乏しく、インテリアとしての機能は十分でない。傘部に装飾性を持たせるなどで装飾性を向上させることは可能であるが、インテリアとしての機能を果たすには必ずしも十分でなかった。
【０００４】
そこで、本発明は、装飾性に優れ、インテリアとしての機能を十分に発揮することができる装飾ランプを提供することを目的とする。
【課題を解決するための手段】
【０００５】
以上のようの目的を達成するため、本発明は、台板と、該台板上に設けられた電球と、前記台板上の前記電球の背面側に立脚して設けられた背面板と、該背面板を覆うとともに円筒状に形成されたカバー部材と、を備えた装飾ランプであって、前記背面板は、前記カバー部材の内周面に沿って有端筒状に形成されるとともに、内面が遊色反射可能に形成され、前記カバー部材は、透光性素材で構成されるとともに、前記背面板に対して回転可能に設けられ、かつ背面板に対向するとともに背面板の周方向両端の間の領域に光の一部を減光する減光模様が施されていることを特徴とする。
【０００６】
以上のように、本発明に係る装飾ランプによれば、カバー部材１６は、周方向に回転可能であるので、カバー部材を回転させて背面板と対向する位置にカバー部材の減光模様が施された部分を位置させることにより、背面板の内面によって遊色反射した光を減光させて投光させることができ、落ち着いた印象を演出することができる。また、カバー部材を回転させて背面板と対向する位置に減光模様が施されていない部分を位置させることにより、背面板の内面によって遊色反射した光を強く投光させることができ、明るい印象を演出することができる。
【０００７】
本発明に係る装飾ランプにおいて、前記背面板は、半円筒状に形成されていることが好ましく、前記背面板の内面にはホログラムシートが貼り付けられていることが好ましい。
【０００８】
本発明に係る装飾ランプにおいて、減光模様としては、例えば、黒地に白抜きのドット模様、複数の横線縞模様、網目模様、若しくは黒色のドット模様など、又は摺りガラス状施したものなどがある。
【発明の効果】
【０００９】
以上のように、本発明に係る装飾ランプによれば、装飾性に優れ、インテリアとしての機能を十分に発揮することができる装飾ランプを提供することができる。
【発明を実施するための最良の形態】
【００１０】
次に、本発明に係る装飾ランプの実施例について図面に基づいて説明する。図１は、本実施例に係る装飾ランプの斜視図である。本実施例に係る装飾ランプは、円盤状に形成された台板１０と、台板１０上の中心に設けられた電球１２と、台板１０上の電球１２の背面側に立脚して設けられた背面板１４と、背面板１４を覆うとともに円筒状に形成されたカバー部材１６と、を備えている。
【００１１】
台板１０の中心には、電球１２が装着可能なソケット１８が設けられており、ソケット１８には、家庭用の電源に接続可能なコード２０が設けられている。また、台板１０上の背面板１４が設けられているのと反対側には、カバー部材１６の内周面をその半径方向に支持可能な支持部材２２が突出している。
【００１２】
背面板１４は、円筒状に形成されたカバー部材１６の内周面に沿った半円筒状に形成されており、背面板１４の内面には、ホログラムシート２３が張り付けられている。また、背面板１４の周方向の両端部の下端近傍外側には、カバー部材１６を垂直方向に支持可能な一対の支持部材２４が突出して設けられている。
【００１３】
カバー部材１６は、透光性素材、例えば透明なガラスで構成されており、背面板１４に設けられた一対の支持部材２４によって垂直方向に支持されるとともに、台板１０に設けられた支持部材２２によって周方向に支持されているので、台板１０及び背面板１４に対して周方向に回転することが可能である。図２に示すようにカバー部材の半筒部分、すなわち周方向の半周部分のほぼ全域には、光の一部を減光する減光模様２６が塗布されている。本実施例に係る装飾用ランプにおいて、減光模様２６は、黒地に白抜きのドット模様であるが、これに限定されず、減光作用を有する模様であれば良く、例えば図３に示すように複数の横線模様、網目模様、又は黒色のドット模様などを使用することが可能であり、また摺りガラス状に形成しても良い。
【００１４】
上述のように本実施例に係る装飾用ランプにおいてカバー部材１６は、周方向に回転可能であるので、図４に示すように、カバー部材１６を回転させて背面板１４と対向する位置にカバー部材１６の減光模様２６が施された部分を位置させることにより、ホログラムシートによって遊色反射した光を減光させて投光させることができ、落ち着いた印象を演出することができる。また、図１のようにカバー部材１６を回転させて背面板１４と対向する位置に減光模様２６が施されていない部分を位置させることにより、ホログラムシートによって遊色反射した光を強く投光させることができ、明るい印象を演出することができる。
【図面の簡単な説明】
【００１５】
【図１】本発明に係る装飾用ランプの実施例の斜視図である。
【図２】本実施例に係る装飾用ランプに使用されるカバー部材の斜視図である。
【図３】カバー部材に施される減光模様の例を示す図である。
【図４】カバー部材の減光模様を背面板に対向するように位置された図１に対応する図である。
【図５】従来のランプの正面図である。
【符号の説明】
【００１６】
１０   台板
１２   電球
１４   背面板
１６   カバー部材
２３   ホログラムシート
２６   減光模様
【図１】
2005205855.tif 000003
【図２】
2005205855.tif 000004
【図３】
2005205855.tif 000005
【図４】
2005205855.tif 000006
【図５】
2005205855.tif 000007